(57)【特許請求の範囲】
【請求項１】
モード設定操作に応じて、静止画の撮影若しくは再生を行なうための静止画モードを含む複数のモードの中から１つのモードを設定することが可能なデジタルカメラにおいて、前記複数のモードを表わす複数のアイコンを含むモード設定画面をモニターに表示した状態で、その中の１つのアイコンを選択するモード設定操作が行なわれたとき、設定されたモードの画面を表示する前に、前記選択された１つのアイコンを表わす画像を拡大してモニターに一定時間に亘って表示することを特徴とするデジタルカメラ。
【請求項２】
前記複数のモードについて各モードを表わすアイコンを表わす画像を格納している画像格納手段と、モード設定操作に応じて設定すべきモードを認識するモード認識手段と、モード設定操作に応じて前記一定時間を計測する計測手段と、前記一定時間に亘って前記画像格納手段に格納されているアイコンを表わす画像をモニターに表示する画像表示手段とを具えている請求項１に記載のデジタルカメラ。
【請求項３】
モード設定操作は、モニター画面に表示された前記複数のモードの中から１つのモードを選択して確定させる、画面上のカーソル操作によって行なわれる請求項１又は請求項２に記載のデジタルカメラ。
【発明の詳細な説明】
【０００１】
【発明の属する技術分野】
本発明は、モード設定操作に応じて、静止画の撮影若しくは再生を行なうための静止画モードを含む複数のモードの中から１つのモードを設定することが可能なデジタルカメラに関するものである。
【０００２】
【従来の技術】
デジタルカメラにおいては、静止画の撮影若しくは再生を行なうための静止画モード、動画の撮影若しくは再生を行なうための動画モード、連写画像の撮影若しくは再生を行なうための連写モード、日時の設定等を行なうためのオプションモード等の複数のモードを選択して設定することが可能となっており、従来よりモードの選択は、シャッター釦の近傍に配置された選択釦の切替え操作によって行なわれている。
【０００３】
【発明が解決しようとする課題】
しかしながら、デジタルカメラにおいては、上述の選択釦やシャッター釦の他、電源のオン／オフ並びに撮影と再生を切り替える際に操作すべきメインスイッチ、撮影の解像度等の各種設定値を切り替えるための設定画面を表示する際に操作すべきモード釦、メニュー画面に表示された複数のアイコンの中から１つのアイコンを選択する際に操作すべき矢印釦、選択されたアイコンについての設定値を確定させる際に操作すべきセット釦等、多数の釦が配備されているので、釦操作が煩雑となる問題があった。
【０００４】
そこで、前記選択釦を省略して、モード設定操作は、モニター画面に表示された複数のモードの中から１つのモードを選択して確定させる、画面上のカーソル操作によって行なう方式が考えられる。該方式によれば、モードの選択は前記矢印釦の操作によって行なうことが出来、モードの確定は前記セット釦の操作によって行なうことが出来るので、操作釦の数を減少させることが可能であり、これによって釦操作が簡易となる。
【０００５】
しかしながら、上述の方式においては、選択位置によって選択されているモードを視覚的に確認し得る選択釦が省略されており、ユーザが、画面に表示されている複数のモードの中から１つのモードを選択してセット釦を操作したとき、それによって何れのモードが設定されたかを視覚的に確認することが出来ないため、ユーザは操作に不安感を覚える問題があった。
【０００６】
そこで本発明の目的は、モードの選択／確定をモード釦によらず、画面上のカーソル操作で行なうことが出来るデジタルカメラであって、モード設定時にユーザが不安感を覚えることのないデジタルカメラを提供することである。
【０００７】
【課題を解決する為の手段】
本発明に係るデジタルカメラは、モード設定操作に応じて、静止画の撮影若しくは再生を行なうための静止画モードを含む複数のモードの中から１つのモードを設定することが可能であって、前記複数のモードを表わす複数のアイコンを含むモード設定画面をモニターに表示した状態で、その中の１つのアイコンを選択するモード設定操作が行なわれたとき、前記選択された１つのアイコンを拡大してモニターに一定時間に亘って表示するものである。
【０００８】
上記本発明のデジタルカメラにおいて、モード設定は、モニター画面に表示された複数のモードの中から１つのモードを選択して確定させる、画面上のカーソル操作によって行なわれる。
ユーザがモニターの画面上でモードの選択／確定操作を行なうと、これと同時に、モニター画面には、設定すべきモードを表わす画像が一定時間に亘って表示され、その後、設定されたモードに移行する。
【０００９】
具体的構成において、本発明に係るデジタルカメラは、前記複数のモードについて各モードを表わす画像を格納している画像格納手段と、モード設定操作に応じて設定すべきモードを認識するモード認識手段と、モード設定操作に応じて前記一定時間を計測する計測手段と、前記一定時間に亘って前記画像格納手段に格納されている画像をモニターに表示する画像表示手段とを具えている。
【００１０】
該具体的構成においては、モード設定操作を行なうことによって、前記一定時間の計測が開始されると同時に、設定すべきモードが認識されて、該モードを表わす画像がモニター画面に表示される。その後、前記一定時間が経過すると、前記画像の表示が停止されて、設定されたモードへの移行が行なわれる。
【００１１】
又、具体的構成において、モードを表わす画像は、モードの特徴を表わすアイコンである。
これによって、ユーザは、設定されたモードを容易に認識することが出来る。
【００１２】
又、具体的構成においてモードを表わす画像は、モードの呼び名を表わす文字列である。
これによって、ユーザは、設定されたモードを正確に認識することが出来る。
【００１３】
【発明の効果】
本発明に係るデジタルカメラによれば、ユーザは、モード選択／確定の操作を行なった直後に、その操作によって何れのモードが設定されたかを視覚的に確認することが出来るので、操作に不安感を覚えることはない。
【００１４】
【発明の実施の形態】
以下、本発明の実施の形態につき、図面に沿って具体的に説明する。
本発明に係るデジタルカメラは、図１に示す如くケーシング(１)の前面から前方へ向けて、撮影のためのレンズ(３)とビューファインダー(10)を配備すると共に、ケーシング(１)の端部にシャッター釦(４)を配備しており、レンズ(３)及びビューファインダー(10)は、開閉操作可能なレンズカバー(２)によって覆われている。
【００１５】
図２に示す如く、ケーシング(１)の背面には、画像モニター(９)が配備されると共に、電源のオン／オフ並びに撮影と再生を切り替える際に操作すべきメインスイッチ(５)と、撮影の解像度等の各種設定値を切り替えるための設定画面を表示する際に操作すべきモード釦(７)と、メニュー画面に表示された複数のアイコンの中から１つのアイコンを選択する際に操作すべき４つの釦片(6a)(6b)(6c)(6d)から構成される矢印釦(６)と、選択されたアイコンについての設定値を確定させる際に操作すべきセット釦(８)とが配備されている。
メインスイッチ(５)は、図４(ａ)に示す如く、そのスライド操作によって、再生(ＰＬＡＹ ＢＡＣＫ)と、撮影(ＣＡＭＥＲＡ)と、モニターオフ(ＭＯＮＩＴＯＲ ＯＦＦ)を切り替えることが可能である。
【００１６】
尚、本発明に係るデジタルカメラにおいては、静止画の撮影若しくは再生を行なうための静止画モードと、動画の撮影若しくは再生を行なうための動画モードと、連写画像の撮影若しくは再生を行なうための連写モードと、日時の設定等を行なうためのオプションモードの４つのモードの設定が可能となっており、これらのモードの選択／確定操作は、後述の如く画面上のカーソル操作によって行なわれる。従って、モードを切替え設定するための従来の選択釦は省略されている。
【００１７】
本発明に係るデジタルカメラにおいては、モード設定操作が行なわれたとき、設定すべきモードに移行する前に、設定すべきモードを表わすアイコンがモニター画面に一定時間(１秒間)に亘って表示される。
図３は、撮影及び再生において、モード設定操作に応じてモニター画面の表示を切り替えるための手続きを表わしており、先ずステップＳ１にて、モード設定操作が行なわれたかどうかを判断し、ここでイエスと判断されたとき、設定すべきモードを認識した後、ステップＳ２にて、タイマーＴをスタートさせる。
【００１８】
次にステップＳ３では、設定すべきモードを表わすアイコンをモニター画面に表示する。尚、各モードを表わすアイコンの画像データは、予めメモリ(図示省略)に格納されている。そして、ステップＳ４では、タイマーＴが所定時間Ｔ０(１秒間)を越えたかどうかを判断し、ノーの場合はステップＳ３に戻って、アイコンの表示を継続する。
ステップＳ４にてイエスと判断されたときは、ステップＳ５に移行して、アイコンの表示を消去すると共に、設定されたモードの初期画面を表示する。
【００１９】
上記手続きによれば、例えば図４(ａ)に示すメインスイッチ(５)を撮影(ＣＡＭＥＲＡ)の位置に切り替えて、レンズカバー(２)を開けると、同図(ｂ)に示す如く画像モニター(９)の画面中央部に、以前に設定されていたモード(静止画モード、動画モード、連写モード及びオプションモードの何れか)、図示する例では静止画モードのアイコンＩａが、１秒間に亘って大きく表示された後、同図(ｃ)に示す如く、画像モニター(９)には、静止画モードの撮影画面が表示される。
【００２０】
この状態から、モード釦(７)を操作し、更に矢印釦(６)の上向き矢印の釦片(6a)を操作すると、図５(ａ)に示す如く、画像モニター(９)には、画面上部に、静止画モード、連写モード、動画モード及びオプションモードの４つのアイコンＩａ、Ｉｂ、Ｉｃ、Ｉｄが小さく表示される。
この状態で、例えば矢印釦(６)の右向き矢印の釦片(6c)を操作して、連写モードの表示にカーソルを移動し、セット釦(８)を操作すると、図５(ｂ)に示す如く、画像モニター(９)の画面中央部に、連写モードを表わすアイコンＩｂが１秒間に亘って大きく表示された後、同図(ｃ)に示す如く、画像モニター(９)には、連写モードのメニューアイコンを含む初期画面が表示される。
【００２１】
又、図５(ａ)の状態から、矢印釦(６)の右向き矢印の釦片(6b)を操作して、図６(ａ)の如く動画モードの表示にカーソルを移動し、セット釦(８)を操作すると、同図(ｂ)に示す如く、画像モニター(９)の画面中央部に、動画モードを表わすアイコンＩｃが１秒間に亘って大きく表示された後、同図(ｃ)に示す如く、画像モニター(９)には、動画モードのメニューアイコンを含む初期画面が表示される。
【００２２】
更に又、図５(ａ)の状態から、矢印釦(６)の右向き矢印の釦片(6b)を操作して、図７(ａ)の如くオプションモードの表示にカーソルを移動し、セット釦(８)を操作すると、同図(ｂ)に示す如く、画像モニター(９)の画面中央部に、オプションモードを表わすアイコンＩｄが１秒間に亘って大きく表示された後、同図(ｃ)に示す如く、画像モニター(９)には、メニューアイコンを含むオプションモードの初期画面が表示される。
【００２３】
又、本発明に係るデジタルカメラにおいては、他のモード遷移形態として、図４(ｃ)の状態から、セット釦(８)を操作すると、図５(ｂ)に示す如く画像モニター(９)に連写モードを表わすアイコンＩｂが１秒間に亘って大きく表示された後、連写モードの撮影画面が表示される。更に、その状態から、セット釦(８)を操作すると、図６(ｂ)に示す如く画像モニター(９)に動画モードを表わすアイコンＩｂが１秒間に亘って大きく表示された後、動画モードの撮影画面が表示される。更に、その状態から、セット釦(８)を操作すると、図４(ｂ)に示す静止画モードのアイコンＩａの表示に戻ることになる。
【００２４】
又、本発明に係るデジタルカメラにおいては、図４(ａ)に示すメインスイッチ(５)を再生(ＰＬＡＹ ＢＡＣＫ)の位置に切り替えた場合にも、同様に、静止画モード、動画モード、連写モード及びオプションモードの何れかのモードを設定したとき、画像モニター(９)の画面中央部には、設定されたモードを表わすアイコンが表示されることになる。
【００２５】
上述の如く、本発明に係るデジタルカメラによれば、ユーザは、再生又は撮影において、モード選択／確定の操作を行なった直後に、その操作によって何れのモードが設定されたかを、アイコンの表示によって視覚的に確認することが出来るので、操作に安心感を得ることが出来る。
【００２６】
尚、本発明の各部構成は上記実施の形態に限らず、特許請求の範囲に記載の技術的範囲内で種々の変形が可能である。例えば、モード設定時にアイコンのみを表示する構成に限らず、図８(ａ)(ｂ)(ｃ)に示す如く、アイコンＩｂ、Ｉｃ、Ｉｄと共にモードの呼び名を表わす文字列Ｓｂ、Ｓｃ、Ｓｄを表示する構成や、文字列Ｓｂ、Ｓｃ、Ｓｄのみを表示する構成を採用することも可能である。
【図面の簡単な説明】
【図１】本発明に係るデジタルカメラを正面側から見た斜視図である。
【図２】該デジタルカメラを背面側から見た斜視図である。
【図３】該デジタルカメラにおけるモード設定時の画面表示手続きを表わすフローチャートである。
【図４】静止画モード設定時の画面表示例を表わす図である。
【図５】連写モード設定時の画面表示例を表わす図である。
【図６】動画モード設定時の画面表示例を表わす図である。
【図７】オプションモード設定時の画面表示例を表わす図である。
【図８】画面表示の他の例を示す図である。
【符号の説明】
(１)  ケーシング
(２)  レンズカバー
(３)  レンズ
(４)  シャッター釦
(５)  メインスイッチ
(６)  矢印釦
(７)  モード釦
(８)  セット釦
(９)  画像モニター
(10)  ビューファインダー
【図１】
0004518716.tif 000002
【図２】
0004518716.tif 000003
【図３】
0004518716.tif 000004
【図４】
0004518716.tif 000005
【図５】
0004518716.tif 000006
【図６】
0004518716.tif 000007
【図７】
0004518716.tif 000008
【図８】
0004518716.tif 000009